(57)【要約】【課題】大量に撮影したＲＡＷ画像ファイルから、重要な画像の選別を迅速に行なうことができる撮像装置および画像表示装置を提供する【解決手段】被写体の重要な領域、例えば合焦した領域について、ＲＡＷ画像データとして可逆の圧縮処理を施す前に、画素データの先頭にくるように並び替える。並び替え後に可逆の圧縮処理を施し、この画素データを並び替えに関する情報とともにＲＡＷ画像ファイルに記録することで、画像表示装置側では、被写体の重要な領域のみを迅速に表示することができるようになる。【選択図】図１
2014053701.tif 000002
【特許請求の範囲】
【請求項１】
レンズ（１０１）を介して光電変換を行う撮像素子（１０７）と、前記撮像素子で受信した信号をデジタル信号に変換する手段（１０８）と、デジタル信号を読み出し可能な画素信号に変換して内部メモリ（１０６）に記録する信号処理手段（１０９）と、レンズおよびＡＦセンサー（１０４）からの信号をもとにレンズを制御し、合焦位置を特定する操作を行なう合焦位置特定手段（１０３）と、前記合焦位置から優先して表示する画素信号の部分領域を決定し、部分領域情報として内部メモリに記録する部分領域指定手段（１０５）と、前記画素信号を前記部分領域情報に応じて並び替える画素並び替え手段（１１０）と、並び替え後の画素信号を可逆圧縮する可逆圧縮手段（１１１）と、可逆圧縮された画素信号を前記部分領域情報とともに画像ファイルに記録する画像ファイル生成手段（１１２）を備えることを特徴とする撮像装置。
【請求項２】
部分領域指定手段は、前記合焦位置特定手段が複数の合焦位置を検出した場合は、全ての合焦位置を含む領域を部分領域として決定することを特徴とする請求項１に記載の撮像装置。
【請求項３】
部分領域指定手段は、合焦位置以外の、予め撮影前に設定した領域、顔検出した領域から部分領域情報を決定するような方法をとっても良いことを特徴とする請求項１に記載の撮像装置。
【請求項４】
記録媒体（２０１）に記録されたＲＡＷ画像ファイルについて、可逆圧縮された画素信号および部分領域情報を取得・解析する画像ファイル解析手段（２０２）と、前記部分領域情報に基づいて、可逆圧縮された画素信号を部分的に解凍する画素信号解凍手段（２０３）と、前記部分的に解凍された画素信号を表示可能な順序に並び替える画素並び替え手段（２０４）と、並び替え後の画素を信号処理する信号処理手段（２０５）と、信号処理された画素信号を表示する画素データ表示手段（２０６）を備えることを特徴とする画像表示装置。
【発明の詳細な説明】
【技術分野】
【０００１】
本発明は、デジタルカメラやデジタルビデオカメラなどで撮像して得られたＲＡＷ画像データの記録方式および画像表示処理に関するものである。
【背景技術】
【０００２】
デジタルスチルカメラやデジタルビデオカメラなどで撮影する時、ＣＣＤやＣＭＯＳ等の撮像センサから入力された画像データを、撮像センサで得られた直後の未処理の画像データのまま可逆圧縮して記憶媒体に格納し、ＰＣ上でデジタルカメラが行なっていた現像処理と同様の処理を行なうようにすることが考えられる。このような未処理の画像データは一般にＲＡＷ画像データと呼ばれる。このＲＡＷ画像データを、ＰＣ上で現像処理することにより、上級者の要望に応えるきめ細か現像が可能になる。
【０００３】
しかし、ＲＡＷ画像データをＰＣ上で現像処理する場合には、撮像時の光源情報に応じて、画素の補間処理とホワイトバランス処理、露出時間やシャッタースピードやズーム位置、操作者が設定した条件に従って輝度調整処理、色調整処理、シャープネス処理などの処理を行なうことが必要になる。
【０００４】
しかしながら、このような処理は非常に時間がかかるため、例えば、大量に撮影した画像から、重要な画像の選別をするような場合には、処理時間がボトルネックになっていた。
【０００５】
これについて、ＲＡＷ画像のピントがあっている部分のみのデータを、ＲＡＷ画像全体のデータとは別のデータとして、保存・再生できるようにすることで処理時間を短縮するような提案がされている。
【先行技術文献】
【特許文献】
【０００６】
【特許文献１】特開２００６−１７３８５４号公報
【発明の概要】
【発明が解決しようとする課題】
【０００７】
しかしながら、前述のように部分的なＲＡＷ画像データを、ＲＡＷ画像全体のデータとは別に保持する場合、部分的なＲＡＷ画像データについては、データを２重に保持することとなり、データサイズが逆に増大してしまうという問題があった。そのため、本発明では、処理時間を短縮しつつ、データサイズが増大しない方法を提案する。
【課題を解決するための手段】
【０００８】
課題を解決するための本発明の撮像装置は、手段のレンズを介して光電変換を行う撮像素子と、前記撮像素子で受信した信号をデジタル信号に変換する手段と、デジタル信号を読み出し可能な画素信号に変換して内部メモリに記録する信号処理手段と、レンズおよびＡＦセンサーからの信号をもとにレンズを制御し、合焦位置を特定する操作を行なう合焦位置特定手段と、前記合焦位置から優先して表示する画素信号の部分領域を決定し、部分領域情報として内部メモリに記録する部分領域指定手段と、前記画素信号を前記部分領域情報に応じて並び替える画素並び替え手段と、並び替え後の画素信号を可逆圧縮する可逆圧縮手段と、可逆圧縮された画素信号を前記部分領域情報とともに画像ファイルに記録する画像ファイル生成手段を備える撮像装置である。
【発明の効果】
【０００９】
本発明によれば、撮像装置にて可逆圧縮する前に、ＲＡＷ画像データの部分領域が画素の先頭に来るように並び替えられるため、画像表示装置においては、可逆圧縮された画素の先頭部分のみを解凍処理するだけで、ＲＡＷ画像データの部分領域を高速に表示することができる。
【００１０】
これにより、例えば、部分領域が合焦した領域であった場合、ピント確認をすばやく行なうことができるようになる。
【図面の簡単な説明】
【００１１】
【図１】本発明の実施例における撮像装置の構成を示すブロック図
【図２】本発明の実施例における画像表示装置の構成を示すブロック図
【図３】本実施の形態における、ＲＡＷ画像ファイルの撮影から記録までの手順を示したフローチャート
【図４】本実施の形態における、ＲＡＷ画像ファイルの画像表示を行なう手順を示したフローチャート
【発明を実施するための形態】
【００１２】
＜第１の実施形態＞
本発明の第１の実施例を図面に基づいて説明する。図１は本発明の実施の形態に係る撮影装置の構成を示すブロック図である。
【００１３】
図１において、ＲＡＷ画像の撮影が指示されると、レンズ１０１を通して得られた信号をもとにＡＦセンサー部が位相のズレ量を検出、レンズ駆動部１０２は、被写体にピントが合うように、レンズ１０１を駆動する。次に合焦位置特定部１０３は、ＡＦセンサー部の検出結果を元に、合焦点位置を特定し、部分領域指定部１０５へ通知する。部分領域指定部は、通知された合焦点位置から、画素データを先頭に並べるべき部分領域情報を決定し、内部メモリ１０６へ記録する。
【００１４】
一方、撮像素子１０７はレンズ１０１を通して得られた信号をＡ／Ｄ変換部１０８へ通知し、さらに信号処理部１０９を通して、画素信号を内部メモリに記録する。
【００１５】
画素並び替え部１１０は、内部メモリに記録された部分領域情報に基づいて、画素信号を並び替え、並び替えた後の画素信号を可逆圧縮部１１１へ通知する。可逆圧縮部は画素信号へ可逆の圧縮処理を施し、内部メモリに記録された部分領域情報とともに、画像ファイル生成部１１２へ通知する。画像ファイル生成部は通知された情報を記録媒体１１３へ記録する。
【００１６】
図３は、本実施の形態における、ＲＡＷ画像ファイルの撮影から記録までの手順を示したフローチャートである。
【００１７】
まず、撮影装置にて撮影指示が行なわれた後、レンズ１０１を通して得られた光電信号を撮像素子１０７が受光し、Ａ／Ｄ変換分１０８によりデジタルデータに変換され、信号処理部１０９にて信号処理された後、内部メモリ１０６に記録される（Ｓ３００）。次に同様にレンズ１０１を通して得られた信号をもとにＡＦセンサー部が位相のズレ量を検出、レンズ駆動部１０２は、被写体にピントが合うように、レンズ１０１を駆動し、合焦位置特定部１０３により合焦位置が特定される（Ｓ３０１）。さらに特定された合焦位置に基づき、部分的に表示したい部分領域を部分領域指定部１０５により決定する（Ｓ３０２）。次に決定した部分領域が画素信号の先頭になるように画素並び替え部１１０により画素並び替えを行なう（Ｓ３０３）。その後、並び替えされた画素信号を可逆圧縮部１１１により可逆圧縮する（Ｓ３０４）。最後に可逆圧縮された画素信号および部分領域情報をＲＡＷ画像ファイルとして画像ファイル生成部１１２により生成し、記録媒体１１３に記録する（Ｓ３０５）。
【００１８】
＜第２の実施形態＞
本発明の第２の実施例を図面に基づいて説明する。図２は本発明の実施の形態に係る画像表示装置の構成を示すブロック図である。
【００１９】
図２において、記録媒体２０１はＲＡＷ画像ファイルが記録された記録媒体である。本装置は、記録媒体が装填されると、画像ファイル解析部２０２を通し、ＲＡＷ画像の画素信号および、画素信号の並び替え順を示す部分領域情報を取得する。次に部分領域情報を基に、可逆圧縮解凍部２０３を通し、画素信号の部分領域のみを解凍処理する。さらに解凍処理された部分領域のみを信号処理部２０４へ通し、画像処理を施した後、画像データ表示部２０５へ表示する。
【００２０】
図４は、本実施の形態における、ＲＡＷ画像ファイルの画像表示を行なう手順を示したフローチャートである。
【００２１】
まず、記録媒体２０１に記録されたＲＡＷ画像ファイルを解析し、画素信号と部分領域情報を取得する（Ｓ４００）。次に部分領域情報を基に画素信号の先頭部分のみを解凍処理する（Ｓ４０１）。さらに解凍処理した画素信号を部分領域情報に基づき、表示に適した位置へ並び替えを行なう（Ｓ４０２）。次に並び替え後の画素信号に対し、信号処理を適用する（Ｓ４０３）。最後に信号処理適用後の画素信号を表示する（Ｓ４０４）。
【００２２】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【００２３】
１００  撮像装置
１０１  レンズ
１０２  レンズ駆動部
１０３  合焦位置特定部
１０４  ＡＦセンサー部
１０５  部分領域指定部
１０６  内部メモリ
１０７  撮像素子
１０８  Ａ／Ｄ変換部
１０９  信号処理部
１１０  画素並び替え部
１１１  可逆圧縮部
１１２  画像ファイル生成部
１１３  記録媒体
２００  画像表示装置
２０１  記録媒体
２０２  画像ファイル解析部
２０３  可逆圧縮解凍部
２０４  画素並び替え部
２０５  信号処理部
２０６  画像データ表示部
【図１】
2014053701.tif 000003
【図２】
2014053701.tif 000004
【図３】
2014053701.tif 000005
【図４】
2014053701.tif 000006